(57)【要約】【課題】  シール部材をラップ部の凹溝内に装着し易くし、シール部材の装着作業の効率を向上させる。【解決手段】  スクロールのラップ部に形成された凹溝に装着するシール部材３１の内周面３１Ｂに、長さ方向に多数の切込み溝３２を形成し、各切込み溝３２の離間間隔がシール部材３１の径方向内側に位置する内径側で小さく、径方向外側に位置する外径側で大きく形成する。この結果、シール部材３１の内径側が曲がり易くなる。これにより、曲率の大きなラップ部の渦巻形状に沿うようにシール部材３１を容易に湾曲させることができ、シール部材３１をラップ部の凹溝に容易に装着することができる。【選択図】        図７
2006291968.tif 000002
【特許請求の範囲】
【請求項１】
鏡板の歯底面に渦巻状のラップ部が立設された２つのスクロールを対向して設け、該２つのスクロールのラップ部の間で複数の圧縮室を画成し、前記２つのスクロールのラップ部のうち少なくとも一方のラップ部には、該ラップ部の歯先に沿って延びる凹溝を形成し、該凹溝内には相手方の歯底面に摺接するシール部材を装着してなるスクロール式流体機械において、
前記シール部材には、前記凹溝の内側面と対向する内周面に該シール部材の長さ方向に離間して斜めに切込んだ多数の切込み溝を設けて、前記凹溝の内側面との間をシールするリップ部を形成し、前記各切込み溝の離間間隔を径方向内側に位置する内径側で小さくし、径方向外側に位置する外径側で大きくしたことを特徴とするスクロール式流体機械。
【発明の詳細な説明】
【技術分野】
【０００１】
本発明は、例えば空気圧縮機、冷媒圧縮機または真空ポンプ等に用いて好適なスクロール式流体機械に関する。
【背景技術】
【０００２】
一般に、鏡板の歯底面に渦巻状のラップ部が立設された固定スクロールと、該固定スクロールに対向して設けられ、鏡板の歯底面に該固定スクロールのラップ部との間で複数の圧縮室を画成するように渦巻状のラップ部が立設された旋回スクロールとを備え、該旋回スクロールまたは固定スクロールのラップ部に該ラップ部の歯先に沿って延びる凹溝を形成し、該凹溝内には相手方の歯底面に摺接するシール部材を装着したスクロール式流体機械は知られている。
【０００３】
そして、渦巻状をなす前記シール部材の内周面に多数の切込み溝を形成したものが知られている（例えば、特許文献１参照）。かかる従来技術によるシール部材では、圧縮運転時等において、圧縮流体の圧力が該シール部材の内周面に作用すると、該シール部材の各切込み溝が拡開し、該各切込み溝の自由端側が凹溝の内側面に押し付けられてシール性を発揮するという作用効果を奏する。
【０００４】
【特許文献１】実開平２−１４７８８８号公報
【発明の開示】
【発明が解決しようとする課題】
【０００５】
ところで、上述した従来技術によるシール部材は、スクロールの中心側、即ち、径方向内側に位置する内径側から、スクロールの周辺側、即ち、径方向外側に位置する外径側にかけて、各切込み溝の深さが均一であるため、下記のような問題が生じる。
【０００６】
シール部材は通常、金型等を用いて単に円形に湾曲した状態に成形するか、または紐状に成形する。従って、シール部材をラップ部の凹溝に装着する前の段階では、該シール部材はラップ部の渦巻形状と異なり、緩やかに湾曲した形状、または直線状である。そして、スクロール式流体機械を製造する際に、該シール部材に外力を加え、該シール部材をラップ部の渦巻形状に沿うように弾性的に湾曲させて該ラップ部の凹溝内に装着する。
【０００７】
この場合、スクロールの中心側、即ち、ラップ部の内径側では該ラップ部の曲率が大きいため、シール部材を該ラップ部の凹溝内に装着するには、該シール部材の内径側を前記ラップ部の渦巻形状に沿うように、大きく湾曲させなければならない。
【０００８】
しかし、従来技術によるシール部材では、内径側から外径側にかけて各切込み溝の切込み深さが均一であるため、該シール部材の内径側において各切込み溝の切込み深さが十分でない。この結果、シール部材が曲がりにくく、該シール部材の内径側を、曲率の大きなラップ部の内径側に装着するのが難しくなるという問題がある。
【０００９】
さらに、シール部材の内径側をラップ部の内径側に沿うように大きく湾曲させると、シール部材の内径側の断面が台形状に変形する。即ち、シール部材を大きく湾曲させると、シール部材の外周側湾曲面が引っ張り変形し、シール部材の内周側湾曲面が圧縮変形する。これにより、シール部材の内径側の断面形状が台形状に変形する。この結果、シール部材の内径側をラップ部の内径側に装着するのが難しいだけでなく、シール部材の内径部が出っ張り、相手方の歯底面との摺接によって過度のスラスト力を生じたり、シール部材が馴染むまでの間、流体漏れを生じ、圧縮性能等が低下するという問題がある。
【００１０】
なお、シール部材の各切込み溝を内径側から外径側にかけて全体的に均一に深くすることも考えられる。しかし、この場合には、比較的曲率の小さいラップ部外径側の渦巻形状に沿うように、シール部材の外径側を緩やかに湾曲させることが難しくなる。このため、シール部材の各切込み溝を内径側から外径側にかけて全体的に均一に深くすると、シール部材の外径側で摩擦抵抗が大きくなり、圧縮運転時等における圧縮流体の圧力が比較的小さいスクロールの周辺側で、シール部材の浮上性が低下するという欠点がある。
【００１１】
また、上述した従来技術によるシール部材は、その内径側から外径側にかけて、各切込み溝の離間間隔が均一である。即ち、シール部材の長さ方向に均一の離間間隔で各切込み溝が形成されている。このことによっても、上述した問題が生じる。
【００１２】
即ち、従来技術のシール部材では、各切込み溝の離間間隔が大きいため、その内径側を大きく曲げるのが難しい。この結果、ラップ部内径側の比較的曲率の大きい渦巻形状に沿うようにシール部材の内径側を湾曲させるのが難しく、シール部材をラップ部の凹溝に装着するのが難しいという問題がある。
【００１３】
なお、シール部材の各切込み溝の離間間隔を内径側から外径側にかけて全体的に均一に小さくすることも考えられる。しかし、この場合も上述したように、シール部材の外径側を緩やかに湾曲させることが難しく、シール部材の外径側で摩擦抵抗が大きくなり、スクロールの周辺側でシール部材の浮上性が低下するという欠点がある。
【００１４】
本発明は上述した従来技術の問題に鑑みなされたものであり、本発明は、シール部材をラップ部に装着し易くでき、シール部材の装着を容易に行うことができるようにしたスクロール式流体機械を提供することを目的としている。
【課題を解決するための手段】
【００１５】
上述した課題を解決するために、本発明は、鏡板の歯底面に渦巻状のラップ部が立設された２つのスクロールを対向して設け、該２つのスクロールのラップ部の間で複数の圧縮室を画成し、前記２つのスクロールのラップ部のうち少なくとも一方のラップ部には、該ラップ部の歯先に沿って延びる凹溝を形成し、該凹溝内には相手方の歯底面に摺接するシール部材を装着してなる構成を採用している。
【００１６】
そして、請求項１に係る発明は、シール部材には、凹溝の内側面と対向する内周面に該シール部材の長さ方向に離間して斜めに切込んだ多数の切込み溝を設けて、前記凹溝の内側面との間をシールするリップ部を形成し、前記各切込み溝の離間間隔を径方向内側に位置する内径側で小さくし、径方向外側に位置する外径側で大きくしたことにある。
【００１７】
上記構成により、シール部材の内径側が、外径側に比較して曲がり易くなるため、シール部材の内径側を曲率の大きいラップ部の内径側に容易に装着できるようになる。一方、シール部材の外径側では、シール部材が緩やかに湾曲し摩擦抵抗が低くなるため、シール部材の浮上性を十分に確保することができる。
【発明の効果】
【００１８】
請求項１に係る発明によれば、２つのスクロールのラップ部のうち少なくとも一方のラップ部に形成された凹溝内に装着したシール部材には、前記凹溝の内側面と対向する内周面に該シール部材の長さ方向に離間して斜めに切込んだ多数の切込み溝を設けて、前記凹溝の内側面との間をシールするリップ部を形成し、前記各切込み溝の離間間隔を径方向内側に位置する内径側で小さくし、径方向外側に位置する外径側で大きくする構成としたから、シール部材を凹溝に装着し易くすることができ、シール部材の装着作業の効率を高めることができると共に、シール部材の装着不良をなくすことができる。
【発明を実施するための最良の形態】
【００１９】
以下、本発明の実施の形態を添付図面に従って詳述する。
【００２０】
ここで、図１ないし図５は本発明の第１の実施例によるスクロール式流体機械をスクロール式空気圧縮機に適用した場合を例に挙げて示している。
【００２１】
図において、１は当該スクロール式空気圧縮機のケーシングの一部となる固定スクロールを示し、該固定スクロール１は、大略有蓋筒状に形成されたケーシング本体（図示せず）の開口端側を施蓋するように、この開口端側に固着されている。そして、該固定スクロール１は、その中心が後述する駆動軸１４の軸線Ｏ１−Ｏ１と一致するように配設された円板状の鏡板２と、該鏡板２の歯底面２Ａに立設された渦巻状のラップ部３と、前記鏡板２の周辺側に位置し、該ラップ部３を囲むように筒状に形成された支持部４とから大略構成されている。
【００２２】
また、該固定スクロール１のラップ部３は、図２に示す如く、中心側が巻始め端となり周辺側が巻終り端となって、例えば３巻半程度の渦巻状に形成されている。そして、該ラップ部３の歯先３Ａは、図３に示すように、後述する旋回スクロール９の歯底面１０Ａから微小なクリアランスＣをもって離間している。
【００２３】
５はラップ部３の歯先３Ａ側に形成された凹溝を示し、該凹溝５は図３に示す如く、ラップ部３の幅方向中間部に位置して横断面が略コ字状をなすように形成され、その底面５Ａおよび左，右の側面５Ｂ，５Ｃはラップ部３の渦巻き形状に沿ってその巻始め端から巻終り端まで延びている。そして、該凹溝５内には後述するシール部材６が装着され、相手方となる旋回スクロール９の歯底面１０Ａとの間をシールするようになっている。
【００２４】
６はラップ部３の凹溝５内に装着されたシール部材を示し、該シール部材６は耐摩耗性や摺動性に優れた弾性樹脂材料、例えばポリテトラフルオロエチレン（ＰＴＦＥ）等のフッ素系樹脂、ポリエーテルサルフォン（ＰＥＳ）、ポリフェニレンサルファイド（ＰＰＳ）、ポリエーテルエーテルケトン（ＰＥＥＫ）、液晶ポリマー（ＬＣＰ）またはポリスルフォン（ＰＳＦ）等を用いて、横断面が四角形状をなす長尺のチップシールとして形成され、凹溝５の長手方向に沿って渦巻状に伸長している。
【００２５】
また、該シール部材６は図３ないし図５に示す如く、圧縮運転時の圧縮空気によって該シール部材６が浮上したときに相手方の歯底面１０Ａに摺接する上面６Ａと、渦巻状をなすシール部材６の径方向内側に位置する内周面６Ｂと、該シール部材６の径方向外側に位置する外周面６Ｃと、シール部材６の内径側に位置する内径側端面６Ｄと、シール部材６の外径側に位置する外径側端面６Ｅと、凹溝５の底面５Ａ上に載置され圧縮運転時の圧縮空気を受圧する下面６Ｆとから構成されている。
【００２６】
そして、該シール部材６は、内周面６Ｂ，外周面６Ｃが凹溝５内に僅かな隙間をもって挿入されているため、圧縮運転時に、シール部材６の内周面６Ｂ側が外周面６Ｃ側に比して高圧になると、シール部材６の外周面６Ｃが凹溝５の側面５Ｃに密接し、後述の各切込み溝７が圧縮空気の圧力によって拡開し、各リップ部８が凹溝５の側面５Ｂをシールすると共に、該シール部材６が凹溝５の底面５Ａ上から相手方となる旋回スクロール９の歯底面１０Ａに向けて浮上する。
【００２７】
ここで、該シール部材６は金型等を用いて単に円形に湾曲した状態、または紐状に成形し、当該スクロール式空気圧縮機を製造する際に、図２の如く、該シール部材６をラップ部３の渦巻形状に沿うように弾性的に湾曲させて、該ラップ部３の凹溝５内に装着する。
【００２８】
７，７，…はシール部材６の長手方向にそれぞれ所定間隔をもって形成された切込み溝を示し、該各切込み溝７は、図４に示すように、シール部材６の内周面６Ｂを斜めに切込むことにより形成されている。そして、圧縮運転時には、図４中の二点鎖線に示すように、凹溝５内を矢示Ｂ方向に流れる圧縮空気によって該各切込み溝７が拡開し、内周面６Ｂのうち各切込み溝７が形成された部分がひれ状のリップ部８，８，…となって凹溝５の側面５Ｂに押し付けられる。
【００２９】
また、該各切込み溝７は、その切込み深さが、図５に示すようにシール部材６の径方向内側に位置する内径側で大きく、径方向外側に位置する外径側で小さく形成されている。そして、該各切込み溝７の切込み深さは、シール部材６の外径側から内径側にいくに従って、徐々に、かつ連続的に大きくなるように形成されている。これにより、シール部材６の内径側は、外径側より曲がり易くなる。
【００３０】
ここで、ラップ部３は、固定スクロール１の中心側で曲率が大きく、固定スクロール１の周辺側で曲率が比較的小さい渦巻状である。このため、シール部材６を該ラップ部３の凹溝５内に装着するとき、シール部材６の内径側を、外径側よりも大きく湾曲させる必要がある。このとき、前述したように、シール部材６の内径側は、外径側より曲がり易いから、シール部材６の内径側をラップ部３の曲率の大きな渦巻形状に沿うように容易に湾曲させることができ、シール部材６を凹溝５内に装着し易くすることができる。
【００３１】
９は固定スクロール１に対向して前記ケーシング本体内に旋回可能に設けられる旋回スクロールを示し、該旋回スクロール９は、表面側が歯底面１０Ａとなって円板状に形成された鏡板１０と、該鏡板１０の歯底面１０Ａから固定スクロール１の鏡板２に向けて立設され、該固定スクロール１のラップ部３と同様に渦巻状に形成されたラップ部１１と、鏡板１０の背面側中央に設けられたボス部１２とから構成され、該ボス部１２は、後述する駆動軸１４のクランク１４Ａに回転可能に取付けられている。
【００３２】
ここで、該旋回スクロール９のラップ部１１についても、固定スクロール１のラップ部３と同様に例えば３巻半程度の渦巻状に形成され、その歯先１１Ａ側には、底面１３Ａおよび左，右の側面１３Ｂ，１３Ｃから横断面コ字形状をなす凹溝１３が形成されている。
【００３３】
また、該ラップ部１１の凹溝１３内には、前記固定スクロール１側と同様に、多数の切込み溝７，７，…が形成されたシール部材６が装着されている。
【００３４】
１４は前記ケーシング本体に回転自在に設けられる駆動軸を示し、該駆動軸１４は先端側がケーシング本体内に延びるクランク１４Ａとなり、該クランク１４Ａはその軸線Ｏ2 −Ｏ2 が駆動軸１４の軸線Ｏ1 −Ｏ1 に対して所定寸法δだけ偏心している。そして、該駆動軸１４のクランク１４Ａには旋回スクロール９のボス部１２が旋回軸受１５を介して旋回可能に取付けられ、旋回スクロール９には自転防止機構（図示せず）等を介して旋回運動が与えられる。
【００３５】
ここで、旋回スクロール９のラップ部１１は固定スクロール１のラップ部３に対して周方向に所定角度だけずらして重ね合わせるように配設され、図２に示すように、ラップ部３，１１間には三日月形状の複数の圧縮室１６，１６，…が画成される。そして、旋回スクロール９を固定スクロール１に対して旋回させたときに、該各圧縮室１６はその容積が連続的に縮小され、後述する吸込ポート１７から吸込んだ空気を圧縮するようになっている。
【００３６】
１７，１８は固定スクロール１に形成された吸込ポート，吐出ポートを示し、該吸込ポート１７は最も周辺側に位置する圧縮室１６と連通するように鏡板２の周辺側に穿設され、吐出ポート１８は、最も中心側に位置する圧縮室１６と連通するように鏡板２の中心部に穿設されている。
【００３７】
本実施例によるスクロール式空気圧縮機は上述のような構成を有するもので、次にこの動作を説明する。
【００３８】
まず、ケーシングの外部からモータ等の駆動源（図示せず）によって駆動軸１４を回転駆動すると、この回転は該駆動軸１４のクランク１４Ａから旋回軸受１５を介して旋回スクロール９に伝えられ、該旋回スクロール９は駆動軸１４の軸線Ｏ1 −Ｏ1 を中心にして寸法δの旋回半径をもった旋回運動を行う。
【００３９】
そして、この旋回運動によって各ラップ部３，１１の間に画成される圧縮室１６，１６，…は中央側に向けて連続的に縮小し、吸込ポート１７から吸込んだ空気を順次圧縮しつつ、この圧縮空気を吐出ポート１８から外部のエアタンク（図示せず）等に向けて吐出する。
【００４０】
ここで、圧縮運転が開始されると、ラップ部３（１１）の凹溝５（１３）内には図３に示す矢示Ａ方向に高圧側の圧縮室１６から圧縮空気の一部が侵入し、シール部材６は受圧面となる下面６Ｆでこの圧縮空気の圧力を受圧することにより、凹溝５（１３）の底面５Ａ（１３Ａ）から浮上し、対向する鏡板１０（２）の歯底面１０Ａ（２Ａ）に向けて押圧される。これにより、該シール部材６は上面６Ａが相手方の歯底面１０Ａ（２Ａ）に摺接し、ラップ部３（１１）間に画成される各圧縮室１６を気密にシールする。
【００４１】
また、図３中の矢示Ａ方向に凹溝５（１３）内に侵入した圧縮空気は、該凹溝５（１３）の渦巻形状に沿って、高圧の中心側から低圧の周辺側に向けて図２中の矢示Ｂ方向に流れようとする。このとき、シール部材６の各切込み溝７が図２または図４中の二点鎖線に示すように拡開し、各リップ部８が凹溝５（１３）の側面５Ｂ（１３Ｂ）に押し付けられる。これにより、圧縮空気が凹溝５（１３）の側面５Ｂ（１３Ｂ）とシール部材６との間を流通して、中心側の圧縮室１６から周辺側の圧縮室１６へと漏洩するのを防止できる。
【００４２】
ところで、当該スクロール式空気圧縮機の製造時において、シール部材６を固定スクロール１側のラップ部３に装着する際には、該シール部材６をラップ部３の渦巻形状に沿うように湾曲させる。特に、該ラップ部３の曲率は固定スクロール１の中心側ほど大きく、該ラップ部３の内径側の曲率は外径側と比較して大きいため、シール部材６の内径側は外径側に比較して大きく湾曲させる必要がある。
【００４３】
然るに、本実施例によるシール部材６は、その内周面１６Ｂに多数の切込み溝７が形成され、該シール部材６の内径側に形成された各切込み溝７の切込み深さが、外径側に形成された各切込み溝７の切込み深さよりも大きい。このため、シール部材６に外力を加え、該シール部材６を湾曲させると、各切込み溝７が形成された部分が互いにずれるので、シール部材６は曲がり易い。特に、シール部材６の内径側では、各切込み溝７の切込み深さが大きいため、シール部材６の内径側は、外径側よりも曲がり易い。
【００４４】
これにより、該シール部材６の内径側をラップ部３内径側の曲率の大きな渦巻形状に沿うように容易に湾曲させることができる。
【００４５】
一方、シール部材６の外径側では、ラップ部３の曲率が小さいため、シール部材６を該ラップ部３に装着する際に、シール部材６を緩やかに湾曲させる程度でよい。そこで、シール部材６の外径側では、各切込み溝７の深さを内径側よりも小さくすることにより、シール部材６の外径側を緩やかに湾曲させるようにしている。これにより、シール部材６の摩擦抵抗を小さくすることができ、圧縮運転時における圧縮空気の圧力が比較的小さいスクロールの周辺側でもシール部材６の浮上性を確保することができる。
【００４６】
またさらに、本実施例によるシール部材６は、内径側に形成された各切込み溝７の切込み深さを、外径側よりも大きくしたことにより、下記の作用効果を奏する。
【００４７】
即ち、従来技術によるシール部材では、シール部材をラップ部内径側の大きな曲率を有する渦巻形状に沿うように大きく湾曲させると、シール部材の外周面側が弾性的に引っ張り変形すると共に、シール部材の内周面側が弾性的に圧縮変形する。このため、シール部材の断面形状が台形状となる。この結果、従来技術では、シール部材の外周面側で高さ寸法（上面−下面間の寸法）が大きくなり、シール部材の上面が相手方の歯底面に片当りし、シール性が悪いという問題があった。また、従来技術では、上述したようにシール部材の上面が相手方の歯底面に片当りする場合があるため、シール部材が馴染んで、シール部材の上面が相手方の歯底面に全面摺接するまで、馴染み運転を長時間行わなければならないという問題があった。
【００４８】
ところが、本実施例によるシール部材６は、かかる問題を解消することができる。即ち、本実施例によるシール部材６の各切込み溝７の切込み深さが内径側で大きいため、シール部材６をラップ部３の渦巻形状に沿うように湾曲させると、各切込み溝７の形成された部分が互いにずれるようになる。これにより、シール部材６の断面形状が台形状に変形することがない。
【００４９】
従って、本実施例によるシール部材６では、シール部材６の上面６Ａが相手方の歯底面１０Ａに片当りするのを防止でき、圧縮運転時におけるシール性を向上させることができる。特に、該シール部材６の装着当初から、シール部材６の上面６Ａが相手方の歯底面１０Ａに全面摺接させてシール性を発揮させることができ、馴染み運転を大幅に短縮することができる。
【００５０】
なお、旋回スクロール９のラップ部１１に装着するシール部材６についても同様である。
【００５１】
かくして、本実施例によれば、シール部材６の内周面６Ｂに形成した各切込み溝７の切込み深さを、該シール部材６の内径側で大きくし、外径側で小さくする構成としたから、シール部材６の内径側を、外径側よりも曲がり易くすることができる。
【００５２】
従って、シール部材６をラップ部３（１１）に装着するに際して、装着作業の容易化、迅速化を図ることができ、装着作業の効率を向上させることができる。これにより、スクロール式空気圧縮機の生産性をよくし、歩留をよくすることができる。
【００５３】
また、シール部材６をラップ部３（１１）に装着するために大きく湾曲させても、該シール部材６の断面形状が台形状に変形するのを防止できる。これにより、装着当所からシール部材６のシール性を十分に発揮させることができると共に、馴染み運転を短縮することが可能となる。
【００５４】
さらに、シール部材６の製造において、シール部材６に切込み溝７を形成するときは、カッタの歯先の形状を変えることなく、切込み深さを変えるだけでよく、各切込み溝７の加工を容易にかつ安価に行うことができる。
【００５５】
次に、本発明の第２の実施例によるスクロール式流体機械をスクロール式空気圧縮機に適用した場合を例に挙げて説明するに、本実施例の特徴は、シール部材の内周面に設けた各切込み溝の切込み深さを、シール部材の内径側で大きくすると共に外径側で小さくし、かつ、各切込み溝の切込み深さ寸法をシール部材の内径側と外径側とで２段階に設定したことにある。
【００５６】
ここで、図６は本実施例によるスクロール式空気圧縮機において、スクロールのラップ部に設けられた凹溝に装着されるシール部材を長さ方向に展開した状態で示したものである。
【００５７】
図において、２１は本実施例によるシール部材を示し、該シール部材２１は、前述した第１の実施例で述べたシール部材６とほぼ同様に、耐摩耗性や摺動性に優れた弾性樹脂材料により横断面が四角形状をなす長尺のチップシールとして形成され、上面２１Ａ、内周面２１Ｂ、外周面２１Ｃ、内径側端面２１Ｄ、外径側端面２１Ｅ、下面とから構成されている。そして、該シール部材２１の内周面２１Ｂには多数の切込み溝２２，２２，…が形成され、圧縮運転時には、圧縮空気によって該各切込み溝２２が拡開し、内周面２１Ｂのうち各切込み溝２２が形成された部分がリップ部２３，２３，…となり凹溝の内側面に押し付けられる。
【００５８】
また、該シール部材２１に設けられた各切込み溝２２の切込み深さは、シール部材２１の内径側で大きくなり、シール部材２１の外径側で小さくなり、かつ、その切込み深さ寸法がシール部材２１の内径側と外径側とで２段階に設定されている。
【００５９】
このように構成される本実施例によるスクロール式空気圧縮機においても前述した第１の実施例と同様の作用効果を奏する。
【００６０】
なお、本実施例では、シール部材２１に設けられた各切込み溝２２の切込み深さ寸法を、シール部材２１の内径側と外径側とで２段階に設定したが、これに限るものでなく、各切込み溝２２の切込み深さがシール部材２１の外径側から内径側に行くに従って多段階的に大きくなるように設定してもよく、また、スクロール式空気圧縮機の要求性能に合わせて各切込み溝２２の切込み深さを適宜に変化させるように設定してもよい。
【００６１】
次に、本発明の第３の実施例によるスクロール式流体機械をスクロール式空気圧縮機に適用した場合を例に挙げて説明するに、本実施例の特徴は、シール部材の内周面に設けた各切込み溝の離間間隔を径方向内側に位置する内径側で小さくし、径方向外側に位置する外径側で大きくしたことにある。
【００６２】
ここで、図７は本実施例によるスクロール式空気圧縮機において、スクロールのラップ部に設けられた凹溝に装着されるシール部材を長さ方向に展開した状態で示したものである。
【００６３】
図において、３１は本実施例によるシール部材を示し、該シール部材３１は、前述した第１の実施例で述べたシール部材６とほぼ同様に、耐摩耗性や摺動性に優れた弾性樹脂材料により横断面が四角形状をなす長尺のチップシールとして形成され、上面３１Ａ、内周面３１Ｂ、外周面３１Ｃ、内径側端面３１Ｄ、外径側端面３１Ｅ、下面とから構成されている。
【００６４】
また、該シール部材３１の内周面３１Ｂには多数の切込み溝３２，３２，…が形成されている。そして、圧縮運転時には、圧縮空気によって該各切込み溝３２が拡開し、内周面３１Ｂのうち各切込み溝３２が形成された部分がひれ状のリップ部３３，３３，…となって凹溝の内側面に押し付けられる。
【００６５】
また、該各切込み溝３２は、その離間間隔がシール部材３１の径方向内側に位置する内径側で小さく、径方向外側に位置する外径側で大きく形成されている。即ち、シール部材３１の内径側には、各切込み溝３２が、該シール部材３１の外径側と比較して狭い間隔で形成され、シール部材３１の外径側には、各切込み溝３２が、該シール部材３１の内径側と比較して広い間隔で形成されている。そして、該各切込み溝３２の離間間隔は、シール部材３１の外径側から内径側にいくに従って、徐々に、かつ連続的に狭くなるように形成されている。
【００６６】
本実施例によるスクロール式空気圧縮機は上述したような構成を有するもので、その基本的な作用効果は前述した第１の実施例と格別差異はない。
【００６７】
即ち、シール部材３１の内周面３１Ｂに形成した各切込み溝３２の離間間隔を、該シール部材３１の内径側で小さくし、外径側で大きくする構成としたから、シール部材３１の内径側を外径側よりも曲がり易くすることでき、シール部材３１をラップ部の凹溝に装着し易くすることができる。
【００６８】
一方、シール部材３１の外径側ではシール部材３１を緩やかに湾曲させることができるから、シール部材３１の摩擦抵抗を小さくでき、圧縮運転時において比較的圧力の低いスクロール周辺側でもシール部材３１の浮上性を確保できる。
【００６９】
また、シール部材３１の内径側には、各切込み溝３２が小さな離間間隔で多数形成されているから、シール部材３１をラップ部の凹溝内に装着するために大きく湾曲させたとき、各切込み溝３２の形成された部分が互いにずれるため、シール部材３１の上面３１Ａが盛り上がることはない。従って、装着当所から該シール部材３１のシール性を十分に発揮させることができると共に、馴染み運転を短縮することが可能となる。
【００７０】
さらに、シール部材３１の製造において、シール部材３１に切込み溝３２を形成するときは、カッタの歯先の形状を変えることなく、切込みを入れる間隔だけを変えるだけでよく、各切込み溝３２の加工を容易にかつ安価に行うことができる。
【００７１】
次に、本発明の第４の実施例によるスクロール式流体機械をスクロール式空気圧縮機に適用した場合を例に挙げて説明するに、本実施例の特徴は、シール部材の内周面に設けた各切込み溝の離間間隔を、シール部材の内径側で小さくすると共に外径側で大きくし、かつ、各切込み溝の離間間隔をシール部材の内径側と外径側とで２段階に設定したことにある。
【００７２】
ここで、図８は本実施例によるスクロール式空気圧縮機において、スクロールのラップ部に設けられた凹溝に装着されるシール部材を長さ方向に展開した状態で示したものである。
【００７３】
図において、４１は本実施例によるシール部材を示し、該シール部材４１は、前述した第３の実施例で述べたシール部材３１とほぼ同様に、耐摩耗性や摺動性に優れた弾性樹脂材料により横断面が四角形状をなす長尺のチップシールとして形成され、上面４１Ａ、内周面４１Ｂ、外周面４１Ｃ、内径側端面４１Ｄ、外径側端面４１Ｅ、下面とから構成されている。そして、該シール部材４１の内周面４１Ｂには多数の切込み溝４２，４２，…が形成され、圧縮運転時には、圧縮空気によって該各切込み溝４２が拡開し、内周面４１Ｂのうち各切込み溝４２が形成された部分がリップ部４３，４３，…となって凹溝の内側面に押し付けられる。
【００７４】
また、該シール部材４１に設けられた各切込み溝４２の離間間隔は、シール部材４１の内径側で小さくなり、シール部材４１の外径側で大きくなり、かつ、各切込み溝４２の離間間隔がシール部材４１の内径側と外径側とで２段階に設定されている。
【００７５】
このように構成される本実施例によるスクロール式空気圧縮機においても前述した第３の実施例と同様の作用効果を奏する。
【００７６】
なお、本実施例では、シール部材４１に設けられた各切込み溝４２の切込み深さを、シール部材４１の内径側と外径側とで２段階に設定したが、これに限るものでなく、各切込み溝４２の離間間隔がシール部材４１の外径側から内径側に行くに従って多段階的に小さくなるように設定してもよく、また、スクロール式空気圧縮機の要求性能に合わせて各切込み溝４２の離間間隔を適宜に変化させるように設定してもよい。
【００７７】
また、前記第１の実施例または第２の実施例で述べたように、シール部材の各切込み溝の切込み深さを径方向内側に位置する内径側で大きくし、径方向外側に位置する外径側で小さくする構成と、第３の実施例または第４の実施例で述べたように、シール部材の各切込み溝の離間間隔を径方向内側に位置する内径側で小さくし、径方向外側に位置する外径側で大きくする構成とを組合わせてもよい。
【００７８】
即ち、シール部材の内径側では、各切込み溝の切込み深さを大きくすると共に、各切込み溝の離間間隔を小さくし、外径側では、各切込み溝の切込み深さを小さくすると共に、各切込み溝の離間間隔を大きくする構成としてもよい。
【００７９】
さらに、前記各実施例では、スクロール式流体機械としてスクロール式空気圧縮機を例に挙げて説明したが、例えば真空ポンプ，冷媒圧縮機等にも広く適用することができる。
【図面の簡単な説明】
【００８０】
【図１】本発明の第１の実施例によるスクロール式空気圧縮機の固定スクロール，旋回スクロールおよびシール部材等を示す縦断面図である。
【図２】図１中の矢示II−II方向拡大断面図である。
【図３】図２中の矢示III −III 方向拡大断面図である。
【図４】図１中のシール部材の内径側を示す斜視図である。
【図５】図１中のシール部材を長さ方向に展開した状態で示す平面図である。
【図６】本発明の第２の実施例によるシール部材を長さ方向に展開した状態で示す平面図である。
【図７】本発明の第３の実施例によるシール部材を長さ方向に展開した状態で示す平面図である。
【図８】本発明の第４の実施例によるシール部材を長さ方向に展開した状態で示す平面図である。
【符号の説明】
【００８１】
１  固定スクロール
２，１０  鏡板
２Ａ，１０Ａ  歯底面
３，１１  ラップ部
３Ａ，１１Ａ  歯先
５，１３  凹溝
５Ａ，１３Ａ  底面
５Ｂ，１３Ｂ  側面
６，２１，３１，４１  シール部材
６Ｂ，２１Ｂ，３１Ｂ，４１Ｂ  内周面
７，２２，３２，４２  切込み溝
８，２３，３３，４３  リップ部
９  旋回スクロール
１６  圧縮室
【図１】
2006291968.tif 000003
【図２】
2006291968.tif 000004
【図３】
2006291968.tif 000005
【図４】
2006291968.tif 000006
【図５】
2006291968.tif 000007
【図６】
2006291968.tif 000008
【図７】
2006291968.tif 000009
【図８】
2006291968.tif 000010
【手続補正書】
【提出日】平成18年7月3日(2006.7.3)
【手続補正１】
【補正対象書類名】明細書
【補正対象項目名】全文
【補正方法】変更
【補正の内容】
【発明の詳細な説明】
【技術分野】
【０００１】
本発明は、例えば空気圧縮機、冷媒圧縮機または真空ポンプ等に用いて好適なスクロール式流体機械に関する。
【背景技術】
【０００２】
一般に、鏡板の歯底面に渦巻状のラップ部が立設された固定スクロールと、該固定スクロールに対向して設けられ、鏡板の歯底面に該固定スクロールのラップ部との間で複数の圧縮室を画成するように渦巻状のラップ部が立設された旋回スクロールとを備え、該旋回スクロールまたは固定スクロールのラップ部に該ラップ部の歯先に沿って延びる凹溝を形成し、該凹溝内には相手方の歯底面に摺接するシール部材を装着したスクロール式流体機械は知られている。
【０００３】
そして、渦巻状をなす前記シール部材の内周面に多数の切込み溝を形成したものが知られている（例えば、特許文献１参照）。かかる従来技術によるシール部材では、圧縮運転時等において、圧縮流体の圧力が該シール部材の内周面に作用すると、該シール部材の各切込み溝が拡開し、該各切込み溝の自由端側が凹溝の内側面に押し付けられてシール性を発揮するという作用効果を奏する。
【０００４】
【特許文献１】実開平２−１４７８８８号公報
【発明の開示】
【発明が解決しようとする課題】
【０００５】
ところで、上述した従来技術によるシール部材は、スクロールの中心側、即ち、径方向内側に位置する内径側から、スクロールの周辺側、即ち、径方向外側に位置する外径側にかけて、各切込み溝の深さが均一であるため、下記のような問題が生じる。
【０００６】
シール部材は通常、金型等を用いて単に円形に湾曲した状態に成形するか、または紐状に成形する。従って、シール部材をラップ部の凹溝に装着する前の段階では、該シール部材はラップ部の渦巻形状と異なり、緩やかに湾曲した形状、または直線状である。そして、スクロール式流体機械を製造する際に、該シール部材に外力を加え、該シール部材をラップ部の渦巻形状に沿うように弾性的に湾曲させて該ラップ部の凹溝内に装着する。
【０００７】
この場合、スクロールの中心側、即ち、ラップ部の内径側では該ラップ部の曲率が大きいため、シール部材を該ラップ部の凹溝内に装着するには、該シール部材の内径側を前記ラップ部の渦巻形状に沿うように、大きく湾曲させなければならない。
【０００８】
しかし、従来技術によるシール部材では、内径側から外径側にかけて各切込み溝の切込み深さが均一であるため、該シール部材の内径側において各切込み溝の切込み深さが十分でない。この結果、シール部材が曲がりにくく、該シール部材の内径側を、曲率の大きなラップ部の内径側に装着するのが難しくなるという問題がある。
【０００９】
さらに、シール部材の内径側をラップ部の内径側に沿うように大きく湾曲させると、シール部材の内径側の断面が台形状に変形する。即ち、シール部材を大きく湾曲させると、シール部材の外周側湾曲面が引っ張り変形し、シール部材の内周側湾曲面が圧縮変形する。これにより、シール部材の内径側の断面形状が台形状に変形する。この結果、シール部材の内径側をラップ部の内径側に装着するのが難しいだけでなく、シール部材の内径部が出っ張り、相手方の歯底面との摺接によって過度のスラスト力を生じたり、シール部材が馴染むまでの間、流体漏れを生じ、圧縮性能等が低下するという問題がある。
【００１０】
なお、シール部材の各切込み溝を内径側から外径側にかけて全体的に均一に深くすることも考えられる。しかし、この場合には、比較的曲率の小さいラップ部外径側の渦巻形状に沿うように、シール部材の外径側を緩やかに湾曲させることが難しくなる。このため、シール部材の各切込み溝を内径側から外径側にかけて全体的に均一に深くすると、シール部材の外径側で摩擦抵抗が大きくなり、圧縮運転時等における圧縮流体の圧力が比較的小さいスクロールの周辺側で、シール部材の浮上性が低下するという欠点がある。
【００１１】
また、上述した従来技術によるシール部材は、その内径側から外径側にかけて、各切込み溝の離間間隔が均一である。即ち、シール部材の長さ方向に均一の離間間隔で各切込み溝が形成されている。このことによっても、上述した問題が生じる。
【００１２】
即ち、従来技術のシール部材では、各切込み溝の離間間隔が大きいため、その内径側を大きく曲げるのが難しい。この結果、ラップ部内径側の比較的曲率の大きい渦巻形状に沿うようにシール部材の内径側を湾曲させるのが難しく、シール部材をラップ部の凹溝に装着するのが難しいという問題がある。
【００１３】
なお、シール部材の各切込み溝の離間間隔を内径側から外径側にかけて全体的に均一に小さくすることも考えられる。しかし、この場合も上述したように、シール部材の外径側を緩やかに湾曲させることが難しく、シール部材の外径側で摩擦抵抗が大きくなり、スクロールの周辺側でシール部材の浮上性が低下するという欠点がある。
【００１４】
本発明は上述した従来技術の問題に鑑みなされたものであり、本発明は、シール部材をラップ部に装着し易くでき、シール部材の装着を容易に行うことができるようにしたスクロール式流体機械を提供することを目的としている。
【課題を解決するための手段】
【００１５】
上述した課題を解決するために、本発明は、鏡板の歯底面に渦巻状のラップ部が立設された２つのスクロールを対向して設け、該２つのスクロールのラップ部の間で複数の圧縮室を画成し、前記２つのスクロールのラップ部のうち少なくとも一方のラップ部には、該ラップ部の歯先に沿って延びる凹溝を形成し、該凹溝内には相手方の歯底面に摺接するシール部材を装着してなる構成を採用している。
【００１６】
そして、請求項１に係る発明は、シール部材には、凹溝の内側面と対向する内周面に該シール部材の長さ方向に離間して斜めに切込んだ多数の切込み溝を設けて、前記凹溝の内側面との間をシールするリップ部を形成し、前記各切込み溝の離間間隔を径方向内側に位置する内径側で小さくし、径方向外側に位置する外径側で大きくしたことにある。
【００１７】
上記構成により、シール部材の内径側が、外径側に比較して曲がり易くなるため、シール部材の内径側を曲率の大きいラップ部の内径側に容易に装着できるようになる。一方、シール部材の外径側では、シール部材が緩やかに湾曲し摩擦抵抗が低くなるため、シール部材の浮上性を十分に確保することができる。
【発明の効果】
【００１８】
請求項１に係る発明によれば、２つのスクロールのラップ部のうち少なくとも一方のラップ部に形成された凹溝内に装着したシール部材には、前記凹溝の内側面と対向する内周面に該シール部材の長さ方向に離間して斜めに切込んだ多数の切込み溝を設けて、前記凹溝の内側面との間をシールするリップ部を形成し、前記各切込み溝の離間間隔を径方向内側に位置する内径側で小さくし、径方向外側に位置する外径側で大きくする構成としたから、シール部材を凹溝に装着し易くすることができ、シール部材の装着作業の効率を高めることができると共に、シール部材の装着不良をなくすことができる。
【発明を実施するための最良の形態】
【００１９】
以下、本発明の実施の形態を添付図面に従って詳述する。
【００２０】
ここで、図１ないし図５は本発明の第１の実施例によるスクロール式流体機械をスクロール式空気圧縮機に適用した場合を例に挙げて示している。
【００２１】
図において、１は当該スクロール式空気圧縮機のケーシングの一部となる固定スクロールを示し、該固定スクロール１は、大略有蓋筒状に形成されたケーシング本体（図示せず）の開口端側を施蓋するように、この開口端側に固着されている。そして、該固定スクロール１は、その中心が後述する駆動軸１４の軸線Ｏ１−Ｏ１と一致するように配設された円板状の鏡板２と、該鏡板２の歯底面２Ａに立設された渦巻状のラップ部３と、前記鏡板２の周辺側に位置し、該ラップ部３を囲むように筒状に形成された支持部４とから大略構成されている。
【００２２】
また、該固定スクロール１のラップ部３は、図２に示す如く、中心側が巻始め端となり周辺側が巻終り端となって、例えば３巻半程度の渦巻状に形成されている。そして、該ラップ部３の歯先３Ａは、図３に示すように、後述する旋回スクロール９の歯底面１０Ａから微小なクリアランスＣをもって離間している。
【００２３】
５はラップ部３の歯先３Ａ側に形成された凹溝を示し、該凹溝５は図３に示す如く、ラップ部３の幅方向中間部に位置して横断面が略コ字状をなすように形成され、その底面５Ａおよび左，右の側面５Ｂ，５Ｃはラップ部３の渦巻き形状に沿ってその巻始め端から巻終り端まで延びている。そして、該凹溝５内には後述するシール部材６が装着され、相手方となる旋回スクロール９の歯底面１０Ａとの間をシールするようになっている。
【００２４】
６はラップ部３の凹溝５内に装着されたシール部材を示し、該シール部材６は耐摩耗性や摺動性に優れた弾性樹脂材料、例えばポリテトラフルオロエチレン（ＰＴＦＥ）等のフッ素系樹脂、ポリエーテルサルフォン（ＰＥＳ）、ポリフェニレンサルファイド（ＰＰＳ）、ポリエーテルエーテルケトン（ＰＥＥＫ）、液晶ポリマー（ＬＣＰ）またはポリスルフォン（ＰＳＦ）等を用いて、横断面が四角形状をなす長尺のチップシールとして形成され、凹溝５の長手方向に沿って渦巻状に伸長している。
【００２５】
また、該シール部材６は図３ないし図５に示す如く、圧縮運転時の圧縮空気によって該シール部材６が浮上したときに相手方の歯底面１０Ａに摺接する上面６Ａと、渦巻状をなすシール部材６の径方向内側に位置する内周面６Ｂと、該シール部材６の径方向外側に位置する外周面６Ｃと、シール部材６の内径側に位置する内径側端面６Ｄと、シール部材６の外径側に位置する外径側端面６Ｅと、凹溝５の底面５Ａ上に載置され圧縮運転時の圧縮空気を受圧する下面６Ｆとから構成されている。
【００２６】
そして、該シール部材６は、内周面６Ｂ，外周面６Ｃが凹溝５内に僅かな隙間をもって挿入されているため、圧縮運転時に、シール部材６の内周面６Ｂ側が外周面６Ｃ側に比して高圧になると、シール部材６の外周面６Ｃが凹溝５の側面５Ｃに密接し、後述の各切込み溝７が圧縮空気の圧力によって拡開し、各リップ部８が凹溝５の側面５Ｂをシールすると共に、該シール部材６が凹溝５の底面５Ａ上から相手方となる旋回スクロール９の歯底面１０Ａに向けて浮上する。
【００２７】
ここで、該シール部材６は金型等を用いて単に円形に湾曲した状態、または紐状に成形し、当該スクロール式空気圧縮機を製造する際に、図２の如く、該シール部材６をラップ部３の渦巻形状に沿うように弾性的に湾曲させて、該ラップ部３の凹溝５内に装着する。
【００２８】
７，７，…はシール部材６の長手方向にそれぞれ間隔をもって形成された切込み溝を示し、該各切込み溝７は、図４に示すように、シール部材６の内周面６Ｂを斜めに切込むことにより形成されている。そして、圧縮運転時には、図４中の二点鎖線に示すように、凹溝５内を矢示Ｂ方向に流れる圧縮空気によって該各切込み溝７が拡開し、内周面６Ｂのうち各切込み溝７が形成された部分がひれ状のリップ部８，８，…となって凹溝５の側面５Ｂに押し付けられる。
【００２９】
また、該各切込み溝７は、図５に示すように、その離間間隔がシール部材６の径方向内側に位置する内径側で小さく、径方向外側に位置する外径側で大きく形成されている。即ち、シール部材６の内径側には、各切込み溝７が、該シール部材６の外径側と比較して狭い間隔で形成され、シール部材６の外径側には、各切込み溝７が、該シール部材６の内径側と比較して広い間隔で形成されている。そして、該各切込み溝７の離間間隔は、シール部材６の外径側から内径側にいくに従って、徐々に、かつ連続的に狭くなるように形成されている。これにより、シール部材６の内径側は、外径側より曲がり易くなる。
【００３０】
ここで、ラップ部３は、固定スクロール１の中心側で曲率が大きく、固定スクロール１の周辺側で曲率が比較的小さい渦巻状である。このため、シール部材６を該ラップ部３の凹溝５内に装着するとき、シール部材６の内径側を、外径側よりも大きく湾曲させる必要がある。このとき、前述したように、シール部材６の内径側は、外径側より曲がり易いから、シール部材６の内径側をラップ部３の曲率の大きな渦巻形状に沿うように容易に湾曲させることができ、シール部材６を凹溝５内に装着し易くすることができる。
【００３１】
９は固定スクロール１に対向して前記ケーシング本体内に旋回可能に設けられる旋回スクロールを示し、該旋回スクロール９は、表面側が歯底面１０Ａとなって円板状に形成された鏡板１０と、該鏡板１０の歯底面１０Ａから固定スクロール１の鏡板２に向けて立設され、該固定スクロール１のラップ部３と同様に渦巻状に形成されたラップ部１１と、鏡板１０の背面側中央に設けられたボス部１２とから構成され、該ボス部１２は、後述する駆動軸１４のクランク１４Ａに回転可能に取付けられている。
【００３２】
ここで、該旋回スクロール９のラップ部１１についても、固定スクロール１のラップ部３と同様に例えば３巻半程度の渦巻状に形成され、その歯先１１Ａ側には、底面１３Ａおよび左，右の側面１３Ｂ，１３Ｃから横断面コ字形状をなす凹溝１３が形成されている。
【００３３】
また、該ラップ部１１の凹溝１３内には、前記固定スクロール１側と同様に、多数の切込み溝７，７，…が形成されたシール部材６が装着されている。
【００３４】
１４は前記ケーシング本体に回転自在に設けられる駆動軸を示し、該駆動軸１４は先端側がケーシング本体内に延びるクランク１４Ａとなり、該クランク１４Ａはその軸線Ｏ2 −Ｏ2 が駆動軸１４の軸線Ｏ1 −Ｏ1 に対して所定寸法δだけ偏心している。そして、該駆動軸１４のクランク１４Ａには旋回スクロール９のボス部１２が旋回軸受１５を介して旋回可能に取付けられ、旋回スクロール９には自転防止機構（図示せず）等を介して旋回運動が与えられる。
【００３５】
ここで、旋回スクロール９のラップ部１１は固定スクロール１のラップ部３に対して周方向に所定角度だけずらして重ね合わせるように配設され、図２に示すように、ラップ部３，１１間には三日月形状の複数の圧縮室１６，１６，…が画成される。そして、旋回スクロール９を固定スクロール１に対して旋回させたときに、該各圧縮室１６はその容積が連続的に縮小され、後述する吸込ポート１７から吸込んだ空気を圧縮するようになっている。
【００３６】
１７，１８は固定スクロール１に形成された吸込ポート，吐出ポートを示し、該吸込ポート１７は最も周辺側に位置する圧縮室１６と連通するように鏡板２の周辺側に穿設され、吐出ポート１８は、最も中心側に位置する圧縮室１６と連通するように鏡板２の中心部に穿設されている。
【００３７】
本実施例によるスクロール式空気圧縮機は上述のような構成を有するもので、次にこの動作を説明する。
【００３８】
まず、ケーシングの外部からモータ等の駆動源（図示せず）によって駆動軸１４を回転駆動すると、この回転は該駆動軸１４のクランク１４Ａから旋回軸受１５を介して旋回スクロール９に伝えられ、該旋回スクロール９は駆動軸１４の軸線Ｏ1 −Ｏ1 を中心にして寸法δの旋回半径をもった旋回運動を行う。
【００３９】
そして、この旋回運動によって各ラップ部３，１１の間に画成される圧縮室１６，１６，…は中央側に向けて連続的に縮小し、吸込ポート１７から吸込んだ空気を順次圧縮しつつ、この圧縮空気を吐出ポート１８から外部のエアタンク（図示せず）等に向けて吐出する。
【００４０】
ここで、圧縮運転が開始されると、ラップ部３（１１）の凹溝５（１３）内には図３に示す矢示Ａ方向に高圧側の圧縮室１６から圧縮空気の一部が侵入し、シール部材６は受圧面となる下面６Ｆでこの圧縮空気の圧力を受圧することにより、凹溝５（１３）の底面５Ａ（１３Ａ）から浮上し、対向する鏡板１０（２）の歯底面１０Ａ（２Ａ）に向けて押圧される。これにより、該シール部材６は上面６Ａが相手方の歯底面１０Ａ（２Ａ）に摺接し、ラップ部３（１１）間に画成される各圧縮室１６を気密にシールする。
【００４１】
また、図３中の矢示Ａ方向に凹溝５（１３）内に侵入した圧縮空気は、該凹溝５（１３）の渦巻形状に沿って、高圧の中心側から低圧の周辺側に向けて図２中の矢示Ｂ方向に流れようとする。このとき、シール部材６の各切込み溝７が図２または図４中の二点鎖線に示すように拡開し、各リップ部８が凹溝５（１３）の側面５Ｂ（１３Ｂ）に押し付けられる。これにより、圧縮空気が凹溝５（１３）の側面５Ｂ（１３Ｂ）とシール部材６との間を流通して、中心側の圧縮室１６から周辺側の圧縮室１６へと漏洩するのを防止できる。
【００４２】
ところで、当該スクロール式空気圧縮機の製造時において、シール部材６を固定スクロール１側のラップ部３に装着する際には、該シール部材６をラップ部３の渦巻形状に沿うように湾曲させる。特に、該ラップ部３の曲率は固定スクロール１の中心側ほど大きく、該ラップ部３の内径側の曲率は外径側と比較して大きいため、シール部材６の内径側は外径側に比較して大きく湾曲させる必要がある。
【００４３】
然るに、本実施例によるシール部材６は、その内周面６Ｂに形成した各切込み溝７の離間間隔を、該シール部材６の内径側で小さくし、外径側で大きくした。このため、シール部材６に外力を加え、該シール部材６を湾曲させると、各切込み溝７が形成された部分が互いにずれるので、シール部材６は曲がり易い。特に、シール部材６の内径側では、各切込み溝７の離間間隔が小さいため、シール部材６の内径側は、外径側よりも曲がり易い。
【００４４】
これにより、該シール部材６の内径側をラップ部３内径側の曲率の大きな渦巻形状に沿うように容易に湾曲させることができる。
【００４５】
一方、シール部材６の外径側では、ラップ部３の曲率が小さいため、シール部材６を該ラップ部３に装着する際に、シール部材６を緩やかに湾曲させる程度でよい。そこで、シール部材６の外径側では、各切込み溝７の離間間隔を内径側よりも大きくすることにより、シール部材６の外径側を緩やかに湾曲させるようにしている。これにより、シール部材６の摩擦抵抗を小さくすることができ、圧縮運転時における圧縮空気の圧力が比較的小さいスクロールの周辺側でもシール部材６の浮上性を確保することができる。
【００４６】
またさらに、本実施例によるシール部材６は、内径側に形成された各切込み溝７の離間間隔を、外径側よりも小さくしたことにより、下記の作用効果を奏する。
【００４７】
即ち、従来技術によるシール部材では、シール部材をラップ部内径側の大きな曲率を有する渦巻形状に沿うように大きく湾曲させると、シール部材の外周面側が弾性的に引っ張り変形すると共に、シール部材の内周面側が弾性的に圧縮変形する。このため、シール部材の断面形状が台形状となる。この結果、従来技術では、シール部材の外周面側で高さ寸法（上面−下面間の寸法）が大きくなり、シール部材の上面が相手方の歯底面に片当りし、シール性が悪いという問題があった。また、従来技術では、上述したようにシール部材の上面が相手方の歯底面に片当りする場合があるため、シール部材が馴染んで、シール部材の上面が相手方の歯底面に全面摺接するまで、馴染み運転を長時間行わなければならないという問題があった。
【００４８】
ところが、本実施例によるシール部材６は、かかる問題を解消することができる。即ち、本実施例によるシール部材６の各切込み溝７の離間間隔が内径側で小さいため、シール部材６をラップ部３の渦巻形状に沿うように湾曲させると、各切込み溝７の形成された部分が互いにずれるようになる。これにより、シール部材６の断面形状が台形状に変形することがない。
【００４９】
従って、本実施例によるシール部材６では、シール部材６の上面６Ａが相手方の歯底面１０Ａに片当りするのを防止でき、圧縮運転時におけるシール性を向上させることができる。特に、該シール部材６の装着当初から、シール部材６の上面６Ａが相手方の歯底面１０Ａに全面摺接させてシール性を発揮させることができ、馴染み運転を大幅に短縮することができる。
【００５０】
なお、旋回スクロール９のラップ部１１に装着するシール部材６についても同様である。
【００５１】
かくして、本実施例によれば、シール部材６の内周面６Ｂに形成した各切込み溝７の離間間隔を、該シール部材６の内径側で小さくし、外径側で大きくする構成としたから、シール部材６の内径側を、外径側よりも曲がり易くすることができる。
【００５２】
従って、シール部材６をラップ部３（１１）に装着するに際して、装着作業の容易化、迅速化を図ることができ、装着作業の効率を向上させることができる。これにより、スクロール式空気圧縮機の生産性をよくし、歩留をよくすることができる。
【００５３】
また、シール部材６をラップ部３（１１）に装着するために大きく湾曲させても、該シール部材６の断面形状が台形状に変形するのを防止できる。これにより、装着当初からシール部材６のシール性を十分に発揮させることができると共に、馴染み運転を短縮することが可能となる。
【００５４】
さらに、シール部材６の製造において、シール部材６に切込み溝７を形成するときは、カッタの歯先の形状を変えることなく、離間間隔を変えるだけでよく、各切込み溝７の加工を容易にかつ安価に行うことができる。
【００５５】
次に、本発明の第２の実施例によるスクロール式流体機械をスクロール式空気圧縮機に適用した場合を例に挙げて説明するに、本実施例の特徴は、シール部材の内周面に設けた各切込み溝の離間間隔を、シール部材の内径側で小さくすると共に外径側で大きくし、かつ、各切込み溝の離間間隔をシール部材の内径側と外径側とで２段階に設定したことにある。
【００５６】
ここで、図６は本実施例によるスクロール式空気圧縮機において、スクロールのラップ部に設けられた凹溝に装着されるシール部材を長さ方向に展開した状態で示したものである。
【００５７】
図において、２１は本実施例によるシール部材を示し、該シール部材２１は、前述した第１の実施例で述べたシール部材６とほぼ同様に、耐摩耗性や摺動性に優れた弾性樹脂材料により横断面が四角形状をなす長尺のチップシールとして形成され、上面２１Ａ、内周面２１Ｂ、外周面２１Ｃ、内径側端面２１Ｄ、外径側端面２１Ｅ、下面とから構成されている。そして、該シール部材２１の内周面２１Ｂには多数の切込み溝２２，２２，…が形成され、圧縮運転時には、圧縮空気によって該各切込み溝２２が拡開し、内周面２１Ｂのうち各切込み溝２２が形成された部分がリップ部２３，２３，…となり凹溝の内側面に押し付けられる。
【００５８】
また、該シール部材２１に設けられた各切込み溝２２の離間間隔は、シール部材２１の内径側で小さくなり、シール部材２１の外径側で大きくなり、かつ、各切込み溝２２の離間間隔がシール部材２１の内径側と外径側とで２段階に設定されている。
【００５９】
このように構成される本実施例によるスクロール式空気圧縮機においても前述した第１の実施例と同様の作用効果を奏する。
【００６０】
なお、本実施例では、シール部材２１に設けられた各切込み溝２２の離間間隔を、シール部材２１の内径側と外径側とで２段階に設定したが、これに限るものでなく、各切込み溝２２の離間間隔がシール部材２１の外径側から内径側に行くに従って多段階的に小さくなるように設定してもよく、また、スクロール式空気圧縮機の要求性能に合わせて各切込み溝２２の離間間隔を適宜に変化させるように設定してもよい。
【００６１】
次に、本発明に関連する第１の参考例によるスクロール式流体機械をスクロール式空気圧縮機に適用した場合を例に挙げて説明するに、本参考例の特徴は、シール部材の内周面に設けた各切込み溝の切込み深さを径方向内側に位置する内径側で大きくし、径方向外側に位置する外径側で小さくしたことにある。
【００６２】
ここで、図７は本参考例によるスクロール式空気圧縮機において、スクロールのラップ部に設けられた凹溝に装着されるシール部材を長さ方向に展開した状態で示したものである。
【００６３】
図において、３１は本参考例によるシール部材を示し、該シール部材３１は、前述した第１の実施例で述べたシール部材６とほぼ同様に、耐摩耗性や摺動性に優れた弾性樹脂材料により横断面が四角形状をなす長尺のチップシールとして形成され、上面３１Ａ、内周面３１Ｂ、外周面３１Ｃ、内径側端面３１Ｄ、外径側端面３１Ｅ、下面とから構成されている。
【００６４】
また、該シール部材３１の内周面３１Ｂには多数の切込み溝３２，３２，…が形成されている。そして、圧縮運転時には、圧縮空気によって該各切込み溝３２が拡開し、内周面３１Ｂのうち各切込み溝３２が形成された部分がひれ状のリップ部３３，３３，…となって凹溝の内側面に押し付けられる。
【００６５】
また、該各切込み溝３２は、その切込み深さがシール部材３１の径方向内側に位置する内径側で大きく、径方向外側に位置する外径側で小さく形成されている。そして、該各切込み溝３２の切込み深さは、シール部材３１の外径側から内径側にいくに従って、徐々に、かつ連続的に大きくなるように形成されている。これにより、シール部材３１の内径側は、外径側より曲がり易くなる。
【００６６】
本参考例によるスクロール式空気圧縮機は上述したような構成を有するもので、その基本的な作用効果は前述した第１の実施例と格別差異はない。
【００６７】
即ち、シール部材３１の内周面３１Ｂに形成した各切込み溝３２の切込み深さを、該シール部材３１の内径側で大きくし、外径側で小さくする構成としたから、シール部材３１の内径側を外径側よりも曲がり易くすることでき、シール部材３１をラップ部の凹溝に装着し易くすることができる。
【００６８】
一方、シール部材３１の外径側ではシール部材３１を緩やかに湾曲させることができるから、シール部材３１の摩擦抵抗を小さくでき、圧縮運転時において比較的圧力の低いスクロール周辺側でもシール部材３１の浮上性を確保できる。
【００６９】
また、シール部材３１の内径側には、各切込み溝３２の切込み深さが大きく形成されているから、シール部材３１をラップ部の凹溝内に装着するために大きく湾曲させたとき、各切込み溝３２の形成された部分が互いにずれるため、シール部材３１の上面３１Ａが盛り上がることはない。従って、装着当初から該シール部材３１のシール性を十分に発揮させることができると共に、馴染み運転を短縮することが可能となる。
【００７０】
さらに、シール部材３１の製造において、シール部材３１に切込み溝３２を形成するときは、カッタの歯先の形状を変えることなく、切込みを入れる間隔だけを変えるだけでよく、各切込み溝３２の加工を容易にかつ安価に行うことができる。
【００７１】
次に、本発明の第２の参考例によるスクロール式流体機械をスクロール式空気圧縮機に適用した場合を例に挙げて説明するに、本参考例の特徴は、シール部材の内周面に設けた各切込み溝の切込み深さを、シール部材の内径側で大きくすると共に外径側で小さくし、かつ、各切込み溝の切込み深さ寸法をシール部材の内径側と外径側とで２段階に設定したことにある。
【００７２】
ここで、図８は本参考例によるスクロール式空気圧縮機において、スクロールのラップ部に設けられた凹溝に装着されるシール部材を長さ方向に展開した状態で示したものである。
【００７３】
図において、４１は本参考例によるシール部材を示し、該シール部材４１は、前述した第１の参考例で述べたシール部材３１とほぼ同様に、耐摩耗性や摺動性に優れた弾性樹脂材料により横断面が四角形状をなす長尺のチップシールとして形成され、上面４１Ａ、内周面４１Ｂ、外周面４１Ｃ、内径側端面４１Ｄ、外径側端面４１Ｅ、下面とから構成されている。そして、該シール部材４１の内周面４１Ｂには多数の切込み溝４２，４２，…が形成され、圧縮運転時には、圧縮空気によって該各切込み溝４２が拡開し、内周面４１Ｂのうち各切込み溝４２が形成された部分がリップ部４３，４３，…となって凹溝の内側面に押し付けられる。
【００７４】
また、該シール部材４１に設けられた各切込み溝４２の切込み深さは、シール部材４１の内径側で大きくなり、シール部材４１の外径側で小さくなり、かつ、各切込み溝４２の切込み深さ寸法がシール部材４１の内径側と外径側とで２段階に設定されている。
【００７５】
このように構成される本参考例によるスクロール式空気圧縮機においても前述した第１の参考例と同様の作用効果を奏する。
【００７６】
なお、本参考例では、シール部材４１に設けられた各切込み溝４２の切込み深さを、シール部材４１の内径側と外径側とで２段階に設定したが、これに限るものでなく、各切込み溝４２の切込み深さがシール部材４１の外径側から内径側に行くに従って多段階的に大きくなるように設定してもよく、また、スクロール式空気圧縮機の要求性能に合わせて各切込み溝４２の切込み深さを適宜に変化させるように設定してもよい。
【００７７】
また、前記第１の実施例または第２の実施例で述べたように、シール部材の各切込み溝の離間間隔を径方向内側に位置する内径側で小さくし、径方向外側に位置する外径側で大きくする構成と、第１の参考例または第２の参考例で述べたように、シール部材の各切込み溝の切込み深さを径方向内側に位置する内径側で大きくし、径方向外側に位置する外径側で小さくする構成とを組合わせてもよい。
【００７８】
即ち、シール部材の内径側では、各切込み溝の切込み深さを大きくすると共に、各切込み溝の離間間隔を小さくし、外径側では、各切込み溝の切込み深さを小さくすると共に、各切込み溝の離間間隔を大きくする構成としてもよい。
【００７９】
さらに、前記各実施例では、スクロール式流体機械としてスクロール式空気圧縮機を例に挙げて説明したが、例えば真空ポンプ，冷媒圧縮機等にも広く適用することができる。
【図面の簡単な説明】
【００８０】
【図１】本発明の第１の実施例によるスクロール式空気圧縮機の固定スクロール，旋回スクロールおよびシール部材等を示す縦断面図である。
【図２】図１中の矢示II−II方向拡大断面図である。
【図３】図２中の矢示III−III方向拡大断面図である。
【図４】図１中のシール部材の内径側を示す斜視図である。
【図５】図１中のシール部材を長さ方向に展開した状態で示す平面図である。
【図６】本発明の第２の実施例によるシール部材を長さ方向に展開した状態で示す平面図である。
【図７】本発明に関連する第１の参考例によるシール部材を長さ方向に展開した状態で示す平面図である。
【図８】本発明に関連する第２の参考例によるシール部材を長さ方向に展開した状態で示す平面図である。
【符号の説明】
【００８１】
１  固定スクロール
２，１０  鏡板
２Ａ，１０Ａ  歯底面
３，１１  ラップ部
３Ａ，１１Ａ  歯先
５，１３  凹溝
５Ａ，１３Ａ  底面
５Ｂ，１３Ｂ  側面
６，２１，３１，４１  シール部材
６Ｂ，２１Ｂ，３１Ｂ，４１Ｂ  内周面
７，２２，３２，４２  切込み溝
８，２３，３３，４３  リップ部
９  旋回スクロール
１６  圧縮室
【手続補正２】
【補正対象書類名】図面
【補正対象項目名】図５
【補正方法】変更
【補正の内容】
【図５】
2006291968.tif 000011
【手続補正３】
【補正対象書類名】図面
【補正対象項目名】図６
【補正方法】変更
【補正の内容】
【図６】
2006291968.tif 000012
【手続補正４】
【補正対象書類名】図面
【補正対象項目名】図７
【補正方法】変更
【補正の内容】
【図７】
2006291968.tif 000013
【手続補正５】
【補正対象書類名】図面
【補正対象項目名】図８
【補正方法】変更
【補正の内容】
【図８】
2006291968.tif 000014